(57)【要約】【課題】入力手段に応じて、画像形成装置の操作性を向上させる。【解決手段】表示部の表示画面上に表示された第一の画面において（ステップＳ１）、機能メニューの選択が行われた場合には（ステップＳ２；ＹＥＳ）、選択が行われた入力手段がタッチパネルであるか、マウスであるかが判断される（ステップＳ３）。入力手段がタッチパネルである場合には（ステップＳ３；タッチパネル）、項目ボタン、ＯＫボタン、キャンセルボタンを含む第二の画面が表示される（ステップＳ４）。入力手段がマウスである場合には（ステップＳ３；マウス）、項目ボタンのみを含む第二の画面が表示される（ステップＳ１１）。【選択図】図２
2007011459.tif 000002
【特許請求の範囲】
【請求項１】
表示手段と、
複数の種類の入力手段と、
入力中の入力手段の種類を判断する入力手段判断手段と、
複数の機能メニューから設定すべき機能メニューを選択するための第一の画面を前記表示手段に表示させ、前記第一の画面において前記入力手段により機能メニューが選択されたら、前記第一の画面において選択された機能メニューにおける複数の項目から１つの項目を選択するための第二の画面を前記表示手段に表示させる表示制御手段と、
を備え、
前記表示制御手段は、前記第一の画面において機能メニューが選択された際の前記入力手段判断手段により判断された入力手段の種類に基づいて、前記判断された入力手段に対応した前記第二の画面を前記表示手段に表示させることを特徴とする画像形成装置。
【請求項２】
請求項１に記載の画像形成装置において、
前記第二の画面は、前記第一の画面の次階層の項目を表示する画面であることを特徴とする画像形成装置。
【請求項３】
請求項１又は２に記載の画像形成装置において、
前記入力手段は、タッチパネル及びマウスを含むことを特徴とする画像形成装置。
【請求項４】
請求項３に記載の画像形成装置において、
前記第一の画面において機能メニューが選択される際に、前記入力手段判断手段により入力中の入力手段がタッチパネルであると判断された場合には、前記表示制御手段は、前記第二の画面に、項目ボタンとは別に項目選択を確定又は項目選択をキャンセルするためのボタンを表示させることを特徴とする画像形成装置。
【請求項５】
請求項４に記載の画像形成装置において、
前記第一の画面において機能メニューが選択される際に、前記入力手段判断手段により入力中の入力手段がタッチパネルであると判断された場合には、前記表示制御手段は、前記項目選択を確定又は項目選択をキャンセルするためのボタンが選択されることに応じて前記第二の画面から他の画面に遷移させることを特徴とする画像形成装置。
【請求項６】
請求項５に記載の画像形成装置において、
前記他の画面は前記第一の画面であることを特徴とする画像形成装置。
【請求項７】
請求項３〜６のいずれか一項に記載の画像形成装置において、
前記第一の画面において機能メニューが選択される際に、前記入力手段判断手段により入力中の入力手段がマウスであると判断された場合には、前記表示制御手段は、前記第二の画面に、項目ボタンのみを表示させることを特徴とする画像形成装置。
【請求項８】
請求項３〜７のいずれか一項に記載の画像形成装置において、
前記第一の画面において機能メニューが選択される際に、前記入力手段判断手段により入力中の入力手段がマウスであると判断された場合には、前記表示制御手段は、前記第一の画面の機能メニューボタンより小さいサイズで、前記第二の画面に項目ボタンを表示させることを特徴とする画像形成装置。
【請求項９】
請求項３〜８のいずれか一項に記載の画像形成装置において、
前記第一の画面において機能メニューが選択される際に、前記入力手段判断手段により入力中の入力手段がマウスであると判断された場合には、前記表示制御手段は、前記第一の画面において選択された機能メニューボタンの表示エリア以外の領域に前記第二の画面を表示させることを特徴とする画像形成装置。
【請求項１０】
請求項３〜９のいずれか一項に記載の画像形成装置において、
前記第一の画面において機能メニューが選択される際に、前記入力手段判断手段により入力中の入力手段がマウスであると判断された場合には、前記表示制御手段は、前記第二の画面の所定の位置にカーソルを表示させることを特徴とする画像形成装置。
【請求項１１】
請求項１０に記載の画像形成装置において、
前記所定の位置は、前記第二の画面において表示される項目のうち先頭の項目の位置であることを特徴とする画像形成装置。
【請求項１２】
請求項１０又は１１に記載の画像形成装置において、
前記表示制御手段は、前記第二の画面において前記カーソルが指し示す項目の表示状態を変化させることを特徴とする画像形成装置。
【請求項１３】
表示手段と、
複数の種類の入力手段と、
入力中の入力手段の種類を判断する入力手段判断手段と、
複数の機能メニューから設定すべき機能メニューを選択するための第一の画面を前記表示手段に表示させ、前記第一の画面において前記入力手段により機能メニューが選択されたら、前記第一の画面において選択された機能メニューにおける複数の項目から１つの項目を選択するための第二の画面を前記表示手段に表示させる表示制御手段と、
を備え、
前記表示制御手段は、前記第一の画面において機能メニューが選択された際の前記入力手段判断手段により判断された入力手段の種類に基づいて、前記第二の画面における項目選択に応じて前記第二の画面から他の画面に遷移させるか否かを決定することを特徴とする画像形成装置。
【請求項１４】
請求項１３に記載の画像形成装置において、
前記表示制御手段は、前記第一の画面において機能メニューが選択された際の前記入力手段判断手段により判断された入力手段の種類に基づいて、前記第二の画面における項目選択に応じて前記第二の画面から他の画面に遷移させるか前記第二の画面の表示を維持させるかを決定することを特徴とする画像形成装置。
【請求項１５】
請求項１３又は１４に記載の画像形成装置において、
前記入力手段は、タッチパネル及びマウスを含むことを特徴とする画像形成装置。
【請求項１６】
請求項１５に記載の画像形成装置において、
前記第一の画面において機能メニューが選択される際に、前記入力手段判断手段により入力中の入力手段がマウスであると判断された場合には、前記表示制御手段は、前記第二の画面における項目選択に応じて前記第二の画面から他の画面に遷移させることを特徴とする画像形成装置。
【請求項１７】
表示手段と、
複数の種類の入力手段と、
入力中の入力手段の種類を判断する入力手段判断手段と、
複数の機能メニューから設定すべき機能メニューを選択するための第一の画面を前記表示手段に表示させ、前記第一の画面において前記入力手段により機能メニューが選択されたら、前記第一の画面において選択された機能メニューにおける複数の項目から１つの項目を選択するための第二の画面を前記表示手段に表示させる表示制御手段と、
を備え、
前記表示制御手段は、前記第二の画面において項目が選択された際の前記入力手段判断手段により判断された入力手段の種類に基づいて、前記第二の画面における項目選択に応じて前記第二の画面から他の画面に遷移させるか否かを決定することを特徴とする画像形成装置。
【請求項１８】
請求項１７に記載の画像形成装置において、
前記表示制御手段は、前記第二の画面において項目が選択された際の前記入力手段判断手段により判断された入力手段の種類に基づいて、前記第二の画面における項目選択に応じて前記第二の画面から他の画面に遷移させるか前記第二の画面の表示を維持させるかを決定することを特徴とする画像形成装置。
【請求項１９】
請求項１７又は１８に記載の画像形成装置において、
前記入力手段は、タッチパネル及びマウスを含むことを特徴とする画像形成装置。
【請求項２０】
請求項１９に記載の画像形成装置において、
前記第二の画面において項目が選択される際に、前記入力手段判断手段により入力中の入力手段がマウスであると判断された場合には、前記表示制御手段は、前記第二の画面における項目選択に応じて前記第二の画面から他の画面に遷移させることを特徴とする画像形成装置。
【請求項２１】
請求項１３〜２０のいずれか一項に記載の画像形成装置において、
前記他の画面は前記第一の画面であることを特徴とする画像形成装置。
【請求項２２】
表示手段と、
複数の種類の入力手段と、
入力中の入力手段の種類を判断する入力手段判断手段と、
複数の機能メニューから設定すべき機能メニューを選択するための第一の画面を前記表示手段に表示させ、前記第一の画面において前記入力手段により機能メニューが選択されたら、前記第一の画面において選択された機能メニューにおける複数の項目から１つの項目を選択するための第二の画面を前記表示手段に表示させる表示制御手段と、
を備え、
前記表示制御手段は、前記第一の画面において機能メニューが選択された際の前記入力手段判断手段により判断された入力手段の種類に基づいて、前記第二の画面における項目選択に応じてその項目を確定させるか否かを決定することを特徴とする画像形成装置。
【請求項２３】
請求項２２に記載の画像形成装置において、
前記入力手段は、タッチパネル及びマウスを含むことを特徴とする画像形成装置。
【請求項２４】
請求項２３に記載の画像形成装置において、
前記第一の画面において機能メニューが選択される際に、前記入力手段判断手段により入力中の入力手段がマウスであると判断された場合には、前記表示制御手段は、前記第二の画面における項目選択に応じてその項目を確定させることを特徴とする画像形成装置。
【請求項２５】
表示手段と、
複数の種類の入力手段と、
入力中の入力手段の種類を判断する入力手段判断手段と、
複数の機能メニューから設定すべき機能メニューを選択するための第一の画面を前記表示手段に表示させ、前記第一の画面において前記入力手段により機能メニューが選択されたら、前記第一の画面において選択された機能メニューにおける複数の項目から１つの項目を選択するための第二の画面を前記表示手段に表示させる表示制御手段と、
を備え、
前記表示制御手段は、前記第二の画面において項目が選択された際の前記入力手段判断手段により判断された入力手段の種類に基づいて、前記第二の画面における項目選択に応じてその項目を確定させるか否かを決定することを特徴とする画像形成装置。
【請求項２６】
請求項２５に記載の画像形成装置において、
前記入力手段は、タッチパネル及びマウスを含むことを特徴とする画像形成装置。
【請求項２７】
請求項２６に記載の画像形成装置において、
前記第二の画面において項目が選択される際に、前記入力手段判断手段により入力中の入力手段がマウスであると判断された場合には、前記表示制御手段は、前記第二の画面における項目選択に応じてその項目を確定させることを特徴とする画像形成装置。
【発明の詳細な説明】
【技術分野】
【０００１】
本発明は、複数の種類の入力手段を備えた画像形成装置に関する。
【背景技術】
【０００２】
近年、複写機、プリンタ等の画像形成装置は多機能化の傾向にあり、各種機能の設定や実行条件の設定を行うための設定画面の種類が増えてきている。一方、表示部の表示エリアの大きさは限られているため、設定画面を階層化し、各階層の設定画面を切り替えて表示させたり、下層表示の一種であるポップアップ表示をさせたりする方法が用いられている。
【０００３】
また、複数種類の入力手段を備え、入力中の入力手段の種類に応じて、入力領域の種類を選択する電子機器が提案されている（例えば、特許文献１参照。）。この電子機器では、例えば、マウスから入力があった場合には、小さくかつ入力領域の間隔が狭く隣接したアイコンが表示され、タッチパネルから入力があった場合には、大きくかつ入力領域の間隔が広い隣接したアイコンが表示される。
【特許文献１】特開平８−１０１７５９号公報
【発明の開示】
【発明が解決しようとする課題】
【０００４】
しかし、タッチパネルの場合、ユーザは対象となる項目を押下して、その項目の表示状態が変化することにより、選択した項目が受け付けられたことを認識する。一方、マウスの場合には、カーソルが画面内を移動するため、クリックによる項目選択以前に、カーソル位置の項目を認識することができる。このように、マウスとタッチパネルとでは、項目を選択する際の項目確定に至るプロセスが異なり、入力手段の種類に応じて、最適な画面が表示されることが望まれる。
【０００５】
本発明は、入力手段に応じて、操作性を向上させることができる画像形成装置を提供することを課題とする。
【課題を解決するための手段】
【０００６】
上記課題を解決するために、請求項１に記載の発明は、
表示手段と、
複数の種類の入力手段と、
入力中の入力手段の種類を判断する入力手段判断手段と、
複数の機能メニューから設定すべき機能メニューを選択するための第一の画面を前記表示手段に表示させ、前記第一の画面において前記入力手段により機能メニューが選択されたら、前記第一の画面において選択された機能メニューにおける複数の項目から１つの項目を選択するための第二の画面を前記表示手段に表示させる表示制御手段と、
を備え、
前記表示制御手段は、前記第一の画面において機能メニューが選択された際の前記入力手段判断手段により判断された入力手段の種類に基づいて、前記判断された入力手段に対応した前記第二の画面を前記表示手段に表示させることを特徴とする画像形成装置である。
【０００７】
請求項２に記載の発明は、請求項１に記載の画像形成装置において、
前記第二の画面は、前記第一の画面の次階層の項目を表示する画面であることを特徴とする。
【０００８】
請求項３に記載の発明は、請求項１又は２に記載の画像形成装置において、
前記入力手段は、タッチパネル及びマウスを含むことを特徴とする。
【０００９】
請求項４に記載の発明は、請求項３に記載の画像形成装置において、
前記第一の画面において機能メニューが選択される際に、前記入力手段判断手段により入力中の入力手段がタッチパネルであると判断された場合には、前記表示制御手段は、前記第二の画面に、項目ボタンとは別に項目選択を確定又は項目選択をキャンセルするためのボタンを表示させることを特徴とする。
【００１０】
請求項５に記載の発明は、請求項４に記載の画像形成装置において、
前記第一の画面において機能メニューが選択される際に、前記入力手段判断手段により入力中の入力手段がタッチパネルであると判断された場合には、前記表示制御手段は、前記項目選択を確定又は項目選択をキャンセルするためのボタンが選択されることに応じて前記第二の画面から他の画面に遷移させることを特徴とする。
【００１１】
請求項６に記載の発明は、請求項５に記載の画像形成装置において、
前記他の画面は前記第一の画面であることを特徴とする。
【００１２】
請求項７に記載の発明は、請求項３〜６のいずれか一項に記載の画像形成装置において、
前記第一の画面において機能メニューが選択される際に、前記入力手段判断手段により入力中の入力手段がマウスであると判断された場合には、前記表示制御手段は、前記第二の画面に、項目ボタンのみを表示させることを特徴とする。
【００１３】
請求項８に記載の発明は、請求項３〜７のいずれか一項に記載の画像形成装置において、
前記第一の画面において機能メニューが選択される際に、前記入力手段判断手段により入力中の入力手段がマウスであると判断された場合には、前記表示制御手段は、前記第一の画面の機能メニューボタンより小さいサイズで、前記第二の画面に項目ボタンを表示させることを特徴とする。
【００１４】
請求項９に記載の発明は、請求項３〜８のいずれか一項に記載の画像形成装置において、
前記第一の画面において機能メニューが選択される際に、前記入力手段判断手段により入力中の入力手段がマウスであると判断された場合には、前記表示制御手段は、前記第一の画面において選択された機能メニューボタンの表示エリア以外の領域に前記第二の画面を表示させることを特徴とする。
【００１５】
請求項１０に記載の発明は、請求項３〜９のいずれか一項に記載の画像形成装置において、
前記第一の画面において機能メニューが選択される際に、前記入力手段判断手段により入力中の入力手段がマウスであると判断された場合には、前記表示制御手段は、前記第二の画面の所定の位置にカーソルを表示させることを特徴とする。
【００１６】
請求項１１に記載の発明は、請求項１０に記載の画像形成装置において、
前記所定の位置は、前記第二の画面において表示される項目のうち先頭の項目の位置であることを特徴とする。
【００１７】
請求項１２に記載の発明は、請求項１０又は１１に記載の画像形成装置において、
前記表示制御手段は、前記第二の画面において前記カーソルが指し示す項目の表示状態を変化させることを特徴とする。
【００１８】
請求項１３に記載の発明は、
表示手段と、
複数の種類の入力手段と、
入力中の入力手段の種類を判断する入力手段判断手段と、
複数の機能メニューから設定すべき機能メニューを選択するための第一の画面を前記表示手段に表示させ、前記第一の画面において前記入力手段により機能メニューが選択されたら、前記第一の画面において選択された機能メニューにおける複数の項目から１つの項目を選択するための第二の画面を前記表示手段に表示させる表示制御手段と、
を備え、
前記表示制御手段は、前記第一の画面において機能メニューが選択された際の前記入力手段判断手段により判断された入力手段の種類に基づいて、前記第二の画面における項目選択に応じて前記第二の画面から他の画面に遷移させるか否かを決定することを特徴とする画像形成装置である。
【００１９】
請求項１４に記載の発明は、請求項１３に記載の画像形成装置において、
前記表示制御手段は、前記第一の画面において機能メニューが選択された際の前記入力手段判断手段により判断された入力手段の種類に基づいて、前記第二の画面における項目選択に応じて前記第二の画面から他の画面に遷移させるか前記第二の画面の表示を維持させるかを決定することを特徴とする。
【００２０】
請求項１５に記載の発明は、請求項１３又は１４に記載の画像形成装置において、
前記入力手段は、タッチパネル及びマウスを含むことを特徴とする。
【００２１】
請求項１６に記載の発明は、請求項１５に記載の画像形成装置において、
前記第一の画面において機能メニューが選択される際に、前記入力手段判断手段により入力中の入力手段がマウスであると判断された場合には、前記表示制御手段は、前記第二の画面における項目選択に応じて前記第二の画面から他の画面に遷移させることを特徴とする。
【００２２】
請求項１７に記載の発明は、
表示手段と、
複数の種類の入力手段と、
入力中の入力手段の種類を判断する入力手段判断手段と、
複数の機能メニューから設定すべき機能メニューを選択するための第一の画面を前記表示手段に表示させ、前記第一の画面において前記入力手段により機能メニューが選択されたら、前記第一の画面において選択された機能メニューにおける複数の項目から１つの項目を選択するための第二の画面を前記表示手段に表示させる表示制御手段と、
を備え、
前記表示制御手段は、前記第二の画面において項目が選択された際の前記入力手段判断手段により判断された入力手段の種類に基づいて、前記第二の画面における項目選択に応じて前記第二の画面から他の画面に遷移させるか否かを決定することを特徴とする画像形成装置である。
【００２３】
請求項１８に記載の発明は、請求項１７に記載の画像形成装置において、
前記表示制御手段は、前記第二の画面において項目が選択された際の前記入力手段判断手段により判断された入力手段の種類に基づいて、前記第二の画面における項目選択に応じて前記第二の画面から他の画面に遷移させるか前記第二の画面の表示を維持させるかを決定することを特徴とする。
【００２４】
請求項１９に記載の発明は、請求項１７又は１８に記載の画像形成装置において、
前記入力手段は、タッチパネル及びマウスを含むことを特徴とする。
【００２５】
請求項２０に記載の発明は、請求項１９に記載の画像形成装置において、
前記第二の画面において項目が選択される際に、前記入力手段判断手段により入力中の入力手段がマウスであると判断された場合には、前記表示制御手段は、前記第二の画面における項目選択に応じて前記第二の画面から他の画面に遷移させることを特徴とする。
【００２６】
請求項２１に記載の発明は、請求項１３〜２０のいずれか一項に記載の画像形成装置において、
前記他の画面は前記第一の画面であることを特徴とする。
【００２７】
請求項２２に記載の発明は、
表示手段と、
複数の種類の入力手段と、
入力中の入力手段の種類を判断する入力手段判断手段と、
複数の機能メニューから設定すべき機能メニューを選択するための第一の画面を前記表示手段に表示させ、前記第一の画面において前記入力手段により機能メニューが選択されたら、前記第一の画面において選択された機能メニューにおける複数の項目から１つの項目を選択するための第二の画面を前記表示手段に表示させる表示制御手段と、
を備え、
前記表示制御手段は、前記第一の画面において機能メニューが選択された際の前記入力手段判断手段により判断された入力手段の種類に基づいて、前記第二の画面における項目選択に応じてその項目を確定させるか否かを決定することを特徴とする画像形成装置である。
【００２８】
請求項２３に記載の発明は、請求項２２に記載の画像形成装置において、
前記入力手段は、タッチパネル及びマウスを含むことを特徴とする。
【００２９】
請求項２４に記載の発明は、請求項２３に記載の画像形成装置において、
前記第一の画面において機能メニューが選択される際に、前記入力手段判断手段により入力中の入力手段がマウスであると判断された場合には、前記表示制御手段は、前記第二の画面における項目選択に応じてその項目を確定させることを特徴とする。
【００３０】
請求項２５に記載の発明は、
表示手段と、
複数の種類の入力手段と、
入力中の入力手段の種類を判断する入力手段判断手段と、
複数の機能メニューから設定すべき機能メニューを選択するための第一の画面を前記表示手段に表示させ、前記第一の画面において前記入力手段により機能メニューが選択されたら、前記第一の画面において選択された機能メニューにおける複数の項目から１つの項目を選択するための第二の画面を前記表示手段に表示させる表示制御手段と、
を備え、
前記表示制御手段は、前記第二の画面において項目が選択された際の前記入力手段判断手段により判断された入力手段の種類に基づいて、前記第二の画面における項目選択に応じてその項目を確定させるか否かを決定することを特徴とする画像形成装置である。
【００３１】
請求項２６に記載の発明は、請求項２５に記載の画像形成装置において、
前記入力手段は、タッチパネル及びマウスを含むことを特徴とする。
【００３２】
請求項２７に記載の発明は、請求項２６に記載の画像形成装置において、
前記第二の画面において項目が選択される際に、前記入力手段判断手段により入力中の入力手段がマウスであると判断された場合には、前記表示制御手段は、前記第二の画面における項目選択に応じてその項目を確定させることを特徴とする。
【発明の効果】
【００３３】
請求項１に記載の発明によれば、入力手段に対応した第二の画面を表示するので、操作性を向上させることができる。
【００３４】
請求項２に記載の発明によれば、第一の画面の次階層の項目を表示する画面を、入力手段の種類に基づいて表示するので、操作性を向上させることができる。
【００３５】
請求項３に記載の発明によれば、入力手段がタッチパネルであるか、マウスであるかに基づいて、入力手段に対応した第二の画面を表示するので、操作性を向上させることができる。
【００３６】
請求項４に記載の発明によれば、タッチパネルから入力が行われる場合に、ユーザの意図しない操作を防ぐことができる。ユーザは、第二の画面において選択した項目を確認した後に、項目選択を確定又はキャンセルすることができる。
【００３７】
請求項５に記載の発明によれば、項目選択の確定又はキャンセルの指示に応じて、第二の画面から他の画面に遷移させることができる。
【００３８】
請求項６に記載の発明によれば、項目選択の確定又はキャンセルの指示に応じて、第二の画面から第一の画面に遷移させることができる。
【００３９】
請求項７に記載の発明によれば、マウスから入力が行われる場合には、項目選択と同時に項目選択を確定してよいため、操作に不要なボタンを画面から除くことにより、操作性を向上させることができる。
【００４０】
請求項８に記載の発明によれば、項目ボタンを小さいボタンで表示することにより、背景をより多く残すことができるので、表示の自由度が増し、使い勝手を向上させることができる。
【００４１】
請求項９に記載の発明によれば、選択された機能メニューボタンを背景に残すことにより、操作内容を示すことができるので、操作性を向上させることができる。
【００４２】
請求項１０に記載の発明によれば、ユーザがカーソルの位置を認識しやすくなり、操作性を向上させることができる。
【００４３】
請求項１１に記載の発明によれば、使用頻度が高い項目を先頭に配置している場合が多いため、操作性を向上させることができる。
【００４４】
請求項１２に記載の発明によれば、マウスにより項目選択を行う前に、選択すべき項目を確認することができるので、誤選択を防止することができる。
【００４５】
請求項１３に記載の発明によれば、機能メニュー選択時の入力手段の種類に基づいて、第二の画面における項目選択に応じて第二の画面から他の画面に遷移させるか否かを決定するので、操作性を向上させることができる。
【００４６】
請求項１４に記載の発明によれば、機能メニュー選択時の入力手段の種類に基づいて、第二の画面における項目選択に応じて第二の画面から他の画面に遷移させるか第二の画面の表示を維持させるかを決定するので、操作性を向上させることができる。
【００４７】
請求項１５に記載の発明によれば、入力手段がタッチパネルであるか、マウスであるかに基づいて、第二の画面における項目選択に応じて第二の画面から他の画面に遷移させるか否かを決定することができる。
【００４８】
請求項１６に記載の発明によれば、マウスから入力が行われる場合には、項目選択と同時に項目選択を確定してよいため、項目選択を確定するための操作を行う場合と比較して操作工程を少なくすることができる。
【００４９】
請求項１７に記載の発明によれば、項目選択時の入力手段の種類に基づいて、第二の画面における項目選択に応じて第二の画面から他の画面に遷移させるか否かを決定するので、操作性を向上させることができる。
【００５０】
請求項１８に記載の発明によれば、項目選択時の入力手段の種類に基づいて、第二の画面における項目選択に応じて第二の画面から他の画面に遷移させるか第二の画面の表示を維持させるかを決定するので、操作性を向上させることができる。
【００５１】
請求項１９に記載の発明によれば、入力手段がタッチパネルであるか、マウスであるかに基づいて、第二の画面における項目選択に応じて第二の画面から他の画面に遷移させるか否かを決定することができる。
【００５２】
請求項２０に記載の発明によれば、マウスから入力が行われる場合には、項目選択と同時に項目選択を確定してよいため、項目選択を確定するための操作を行う場合と比較して操作工程を少なくすることができる。
【００５３】
請求項２１に記載の発明によれば、入力手段の種類に基づいて、第二の画面における項目選択に応じて第二の画面から第一の画面に遷移させるか否かを決定するので、操作性を向上させることができる。
【００５４】
請求項２２に記載の発明によれば、機能メニュー選択時の入力手段の種類に基づいて、第二の画面における項目選択に応じてその項目を確定させるか否かを決定するので、操作性を向上させることができる。
【００５５】
請求項２３に記載の発明によれば、入力手段がタッチパネルであるか、マウスであるかに基づいて、第二の画面における項目選択に応じてその項目を確定させるか否かを決定することができる。
【００５６】
請求項２４に記載の発明によれば、マウスから入力が行われる場合には、項目選択と同時に項目選択を確定してよいため、項目選択を確定するための操作を行う場合と比較して操作工程を少なくすることができる。
【００５７】
請求項２５に記載の発明によれば、項目選択時の入力手段の種類に基づいて、第二の画面における項目選択に応じてその項目を確定させるか否かを決定するので、操作性を向上させることができる。
【００５８】
請求項２６に記載の発明によれば、入力手段がタッチパネルであるか、マウスであるかに基づいて、第二の画面における項目選択に応じてその項目を確定させるか否かを決定することができる。
【００５９】
請求項２７に記載の発明によれば、マウスから入力が行われる場合には、項目選択と同時に項目選択を確定してよいため、項目選択を確定するための操作を行う場合と比較して操作工程を少なくすることができる。
【発明を実施するための最良の形態】
【００６０】
［第１の実施の形態］
以下、図を参照して、本発明の第１の実施の形態を詳細に説明する。
まず、構成を説明する。
【００６１】
図１に、第１の実施の形態における画像形成装置１の機能的構成を示す。画像形成装置１は、例えば、電子写真方式の複写機であり、図１に示すように、制御部１１、操作部１２、表示部１３、タッチパネル１４、マウス１５、画像入力部１６、画像処理部１７、画像形成部１８、通信制御部１９、後処理装置２０等により構成され、各部はバスにより接続されている。
【００６２】
制御部１１は、ＣＰＵ（Central Processing Unit）１１ａ、記憶部１１ｂ、ＲＡＭ（Random Access Memory）１１ｃ等により構成される。
【００６３】
制御部１１のＣＰＵ１１ａは、操作部１２、タッチパネル１４又はマウス１５の操作により、記憶部１１ｂに格納されているシステムプログラムや各種処理プログラムを読み出してＲＡＭ１１ｃ内に展開し、展開されたプログラムに従って、画像形成装置１各部の動作を集中制御する。また、ＣＰＵ１１ａは、展開されたプログラムに従って、画面表示制御処理Ａを始めとする各種処理を実行する。
【００６４】
ＣＰＵ１１ａは、入力中の入力手段がタッチパネル１４であるか、マウス１５であるか、入力手段の種類を判断する。すなわち、ＣＰＵ１１ａとプログラムとの協働により入力手段判断手段が実現される。
【００６５】
また、ＣＰＵ１１ａは、複数の機能メニューから設定すべき機能メニューを選択するための第一の画面を表示部１３に表示させ、第一の画面において選択された機能メニューにおける複数の項目から１つの項目を選択するための第二の画面を表示部１３に表示させる。また、ＣＰＵ１１ａは、第一の画面において機能メニューが選択される際の入力手段判断結果に基づいて、入力手段に対応した第二の画面を表示部１３に表示させる。また、ＣＰＵ１１ａは、第一の画面において機能メニューが選択される際の入力手段判断結果に基づいて、第二の画面における項目選択に応じて（項目ボタンの選択操作に連動して）第二の画面から第一の画面に遷移させるか否かを決定する。また、ＣＰＵ１１ａは、第一の画面において機能メニューが選択される際の入力手段判断結果に基づいて、第二の画面における項目選択に応じてその項目を確定させるか否かを決定する。すなわち、ＣＰＵ１１ａとプログラムとの協働により表示制御手段が実現される。
【００６６】
記憶部１１ｂは、半導体の不揮発性メモリ等により構成され、画像形成装置１に対応するシステムプログラム、画面表示制御処理Ａプログラムを始めとする各種処理プログラム、各種データ等が記憶されている。
【００６７】
ＲＡＭ１１ｃは、ＣＰＵ１１ａにより実行されるシステムプログラム、各種処理プログラム、各処理における処理中のデータ、処理結果等を一時的に記憶するワークエリアを形成する。
【００６８】
操作部１２は、数字キーやスタートキー等のハードキーを備え、各キー操作による押下信号を制御部１１に出力する。
【００６９】
表示部１３は、ＬＣＤ（Liquid Crystal Display）、ＥＬディスプレイ（Electroluminescence Display）、ＣＲＴ（Cathode Ray Tube）等により構成され、制御部１１から入力される表示信号の指示に従って、表示画面上に各種設定画面や装置の状態表示、各機能の動作状況等の表示を行う。
【００７０】
タッチパネル１４は、表示部１３の画面を覆うように透明電極が格子状に配置され、感圧式（抵抗膜圧式）により、手指やタッチペン等で押下された力点のＸＹ座標を電圧値で検出し、検出された位置信号を操作信号として制御部１１に出力する入力手段である。なお、タッチパネル１４は、感圧式に限らず、他の静電式、光式等であってもよい。
【００７１】
マウス１５は、表示部１３の画面上における移動及び選択を指示するための入力手段である。マウス１５の動きに連動して表示部１３の画面上に表示されたカーソルが移動し、クリック動作により項目が選択される。
【００７２】
画像入力部１６は、原稿を載置するコンタクトガラスの下部にスキャナを備えて構成され、原稿の画像を読み取る。スキャナは、光源、ＣＣＤ（Charge Coupled Device）等により構成され、光源から原稿へ照明走査した光の反射光を結像して光電変換することにより原稿の画像を読み取り、読み取った画像をＡ／Ｄ変換器によりデジタル画像データに変換して画像処理部１７に出力する。
【００７３】
画像処理部１７は、画像入力部１６から入力された画像データに空間フィルタ処理、拡大／縮小処理、回転処理、階調補正処理等の画像処理を施して画像形成部１８に出力する。また、画像処理部１７は、通信制御部１９から入力されたプリンタコードを二値コードに変換し、変換後の画像データを画像形成部１８に出力する。
【００７４】
画像形成部１８は、パルス幅変調器、レーザ光源、感光ドラム、帯電器、現像器、給紙部、排紙部、定着装置等を備えて構成されており、画像処理部１７から入力された画像データをパルス幅変調器によりパルス幅変調してレーザ光を発光させ、帯電器により帯電された感光ドラム表面にレーザ光を照射することにより静電潜像を形成する。更に、画像形成部１８は、感光ドラム表面の静電潜像を含む領域に現像器によりトナーを付着させ、指示されたサイズ、向きの印刷用紙を給紙部から搬送し、搬送された印刷用紙にトナーを転写して定着させた後、排紙部から排出する。
【００７５】
通信制御部１９は、ＬＡＮ（Local Area Network）、ＷＡＮ（Wide Area Network）等の通信ネットワークに接続された伝送媒体に接続可能なインターフェースである。通信制御部１９は、例えばＬＡＮカード等の通信制御カードにより構成され、ＬＡＮケーブル等の通信回線を介して通信ネットワークに接続されたプリンタコントローラ等の外部の装置との間で制御信号、プリンタコードを始めとする各種データの送受信を行う。
【００７６】
後処理装置２０は、制御部１１からの制御信号に基づいて、画像形成された記録媒体のステープル操作、パンチ穴開け操作、ソート操作等を行う。
【００７７】
次に、本実施の形態の動作について説明する。
図２に、制御部１１により実行される画面表示制御処理Ａを示す。当該処理は、ＣＰＵ１１ａと記憶部１１ｂに格納されているプログラムとの協働によるソフトウェア処理により実現されるものである。
【００７８】
まず、表示部１３の表示画面上に、複数の機能メニューから設定すべき機能メニューを選択するための第一の画面が表示される（ステップＳ１）。図３に、第一の画面の表示例として出力設定画面２１を示す。図３に示すように、出力設定画面２１には、「ステープル」、「中とじ」、「重ね中折り」、「重ね三つ折り」、「折り」、「パンチ穴」等の機能メニューを選択するためのボタンが表示される。
【００７９】
次いで、タッチパネル１４又はマウス１５のいずれかの入力手段により、メニュー選択が行われた場合には（ステップＳ２；ＹＥＳ）、選択が行われた入力手段がタッチパネル１４であるか、マウス１５であるかが判断される（ステップＳ３）。
【００８０】
第一の画面におけるメニュー選択時の入力手段がタッチパネル１４である場合には（ステップＳ３；タッチパネル）、選択された機能メニューの設定画面である第二の画面が表示される。第二の画面は、第一の画面の次階層の項目を表示する画面であって、第一の画面において選択された機能メニューにおける複数の項目から１つの項目を選択するための画面である。第二の画面には、項目ボタンとは別に項目選択を確定するためのボタン（ＯＫボタン）及びキャンセルするためのボタン（キャンセルボタン）が表示される（ステップＳ４）。
【００８１】
例えば、図３に示す出力設定画面２１でタッチパネル１４を介して「ステープル」ボタン３１が選択された場合には、図４に示すように、ステープル機能の設定画面２２が表示される。ステープル機能の設定画面２２には、ステープルを行う位置を選択するための「１カ所左上」ボタン３２、「１カ所右上」ボタン３３、「２カ所左」ボタン３４、「２カ所上」ボタン３５、「２カ所右」ボタン３６の他、ＯＫボタン３７、キャンセルボタン３８が表示されている。
【００８２】
次いで、第二の画面において、項目選択が行われた場合には（ステップＳ５；ＹＥＳ）、第二の画面の表示が維持された状態で、画面上の選択された項目の表示状態が変化する（ステップＳ６）。例えば、図４に示すステープル機能の設定画面２２において、「１カ所左上」ボタン３２が選択された場合には、図５に示すように、「１カ所左上」ボタン３２は、他のボタンと異なる色で表示される。なお、選択された項目ボタンが反転表示されることとしてもよい。
【００８３】
第二の画面において、いずれか１つの項目が選択された状態でＯＫボタンが選択された場合には（ステップＳ７；ＹＥＳ）、その項目が確定し（ステップＳ８）、表示部１３に第一の画面が表示され（ステップＳ９）、本処理は終了する。
【００８４】
第二の画面において、キャンセルボタンが選択された場合には（ステップＳ７；ＮＯ，ステップＳ１０；ＹＥＳ）、第二の画面における設定がキャンセルされ、表示部１３に第一の画面が表示され（ステップＳ９）、本処理は終了する。
【００８５】
一方、第一の画面におけるメニュー選択時の入力手段がマウス１５である場合には（ステップＳ３；マウス）、選択された機能メニューの設定画面である第二の画面が表示され、設定画面中には項目ボタンのみが表示される（ステップＳ１１）。そして、第二の画面の所定の位置にカーソルが表示される（ステップＳ１２）。第二の画面上において、カーソルがいずれかの項目ボタンの上にある場合には（ステップＳ１３；ＹＥＳ）、カーソルが指し示す位置にある項目の表示状態が変化する（ステップＳ１４）。
【００８６】
例えば、図３に示す出力設定画面２１でマウス１５を介して「ステープル」ボタン３１が選択された場合には、図６に示すように、ステープル機能の設定画面２３が表示される。ステープル機能の設定画面２３には、ステープルを行う位置を選択するための「１カ所左上」ボタン３９、「１カ所右上」ボタン４０、「２カ所左」ボタン４１、「２カ所上」ボタン４２、「２カ所右」ボタン４３が表示されている。また、ステープル機能の設定画面２３の所定の位置にカーソル４４が表示される。ここで、カーソル４４が表示される所定の位置は、ステープル機能の設定画面２３内であれば、どの位置であってもよいが、使用頻度が高い項目を先頭に配置している場合が多いため、表示されている項目のうち先頭の項目（図６の「１カ所左上」ボタン３９）を指し示す位置に表示されるようにしてもよい。図６に示す例では、カーソル４４が「１カ所右上」ボタン４０の上にあるため、「１カ所右上」ボタン４０は、他のボタンと異なる色で表示される。なお、選択された項目ボタンが反転表示されることとしてもよい。
【００８７】
次いで、第二の画面において、項目選択が行われた場合には（ステップＳ１５；ＹＥＳ）、項目ボタンの選択操作に連動してその項目が確定し（ステップＳ１６）、表示部１３に第一の画面が表示され（ステップＳ９）、本処理は終了する。
【００８８】
以上説明したように、画像形成装置１によれば、第一の画面において機能メニューが選択される際の入力手段がタッチパネル１４であるか、マウス１５であるかに基づいて、入力手段に対応した第二の画面を表示するので、操作性を向上させることができる。
【００８９】
第一の画面において機能メニューが選択される際の入力手段がタッチパネル１４である場合には、第二の画面に、項目ボタンとは別にＯＫボタン及びキャンセルボタンを表示させることにより、ユーザの意図しない操作を防ぐことができる。したがって、ユーザは、第二の画面において選択した項目を確認した後に、項目選択を確定又はキャンセルすることができる。また、項目選択の確定又はキャンセルの指示に応じて、第二の画面から第一の画面に遷移させることができる。
【００９０】
第一の画面において機能メニューが選択される際の入力手段がマウス１５である場合には、項目選択と同時に項目選択を確定してよいため、操作に不要なボタンを画面から除くことにより、操作性を向上させることができる。また、入力手段がマウス１５である場合には、カーソルを所定の位置に表示させることにより、ユーザがカーソルの位置を認識しやすくなり、操作性を向上させることができる。また、カーソルが指し示す項目の表示状態を変化させることにより、マウス１５のクリックにより項目選択を行う前に、選択すべき項目を確認することができるので、誤選択を防止することができる。
【００９１】
また、機能メニュー選択時の入力手段の種類に基づいて、第二の画面における項目選択に応じて第二の画面から第一の画面に遷移させるか否かを決定するので、操作性を向上させることができる。また、機能メニュー選択時の入力手段の種類に基づいて、第二の画面における項目選択に応じてその項目を確定させるか否かを決定するので、操作性を向上させることができる。入力手段がマウス１５である場合には、項目選択と同時に項目選択を確定してよいため、項目選択を確定するための操作を行う場合と比較して操作工程を少なくすることができる。
【００９２】
［第２の実施の形態］
次に、本発明を適用した第２の実施の形態について説明する。なお、第２の実施の形態に示す画像形成装置において、第１の実施の形態に示した画像形成装置１と同一の構成部分については同一の符号を付し、その構成については図示及び説明を省略する。以下、第２の実施の形態に特徴的な構成及び処理について説明する。
【００９３】
ＣＰＵ１１ａは、第一の画面において機能メニューが選択される際の入力手段がマウス１５である場合には、第一の画面の機能メニューボタンより小さいサイズで、第二の画面に項目ボタンを表示させる。また、第一の画面において機能メニューが選択される際の入力手段がマウス１５である場合には、第一の画面において選択された機能メニューボタンの表示エリア以外の領域に第二の画面を表示させる。
【００９４】
次に、本実施の形態の動作について説明する。
図７に、制御部１１により実行される画面表示制御処理Ｂを示す。当該処理は、ＣＰＵ１１ａと記憶部１１ｂに格納されているプログラムとの協働によるソフトウェア処理により実現されるものである。
【００９５】
図７に示す画面表示制御処理Ｂにおいて、ステップＳ２１〜Ｓ３０については、図２に示したステップＳ１〜Ｓ１０と同様であるため、説明を省略する。
【００９６】
ステップＳ２３において、第一の画面におけるメニュー選択時の入力手段がマウス１５である場合には（ステップＳ２３；マウス）、第一の画面において選択された機能メニューボタンの表示エリア以外の領域に、選択された機能メニューの設定画面である第二の画面が表示される（ステップＳ３１）。第二の画面には、第一の画面の機能メニューボタンより小さいサイズで、項目ボタンが表示される（ステップＳ３２）。そして、第二の画面の所定の位置にカーソルが表示される（ステップＳ３３）。第二の画面上において、カーソルがいずれかの項目ボタンの上にある場合には（ステップＳ３４；ＹＥＳ）、カーソルが指し示す位置にある項目の表示状態が変化する（ステップＳ３５）。
【００９７】
例えば、図８に示すように、出力設定画面（第一の画面）２４でマウス１５を介して「ステープル」ボタン４５が選択された場合には、「ステープル」ボタン４５の表示エリア以外の領域に、ステープル機能の設定画面２５が表示される。このステープル機能の設定画面２５中の項目ボタン（「１カ所左上」ボタン、「１カ所右上」ボタン等）は、出力設定画面２４の機能メニューボタン（「ステープル」ボタン、「中とじ」ボタン等）より小さいサイズで表示される。また、ステープル機能の設定画面２５の所定の位置にカーソル４６が表示される。ここで、カーソル４６が表示される所定の位置は、ステープル機能の設定画面２５内であれば、どの位置であってもよいが、図９に示すように、項目のうち先頭の項目を指し示す位置に表示されるようにしてもよい。
【００９８】
次いで、第二の画面において、項目選択が行われた場合には（ステップＳ３６；ＹＥＳ）、項目ボタンの選択操作に連動してその項目が確定し（ステップＳ３７）、表示部１３に第一の画面が表示され（ステップＳ２９）、本処理は終了する。
【００９９】
以上説明したように、第２の実施の形態の画像形成装置によれば、第一の画面において機能メニューが選択される際の入力手段がマウス１５であると判断された場合には、第一の画面において選択された機能メニューボタンの表示エリア以外の領域に第二の画面を表示するので、選択された機能メニューボタンが背景に残り、操作内容を示すことができる。したがって、ユーザは、設定画面において、上位階層画面で何を設定したか、現在の設定操作が全体で行うべき設定の中でどこに位置付けられているか、を把握することが可能となる。また、項目ボタンを機能メニューボタンより小さいボタンで表示することにより、背景をより多く残すことができるので、表示の自由度が増し、使い勝手を向上させることができる。
【０１００】
［第３の実施の形態］
次に、本発明を適用した第３の実施の形態について説明する。なお、第３の実施の形態に示す画像形成装置において、第１の実施の形態に示した画像形成装置１と同一の構成部分については同一の符号を付し、その構成については図示及び説明を省略する。以下、第３の実施の形態に特徴的な構成及び処理について説明する。
【０１０１】
ＣＰＵ１１ａは、第二の画面において項目が選択される際の入力手段判断結果に基づいて、第二の画面における項目選択に応じて第二の画面から第一の画面に遷移させるか否かを決定する。また、ＣＰＵ１１ａは、第二の画面において項目が選択される際の入力手段判断結果に基づいて、第二の画面における項目選択に応じてその項目を確定させるか否かを決定する。
【０１０２】
次に、本実施の形態の動作について説明する。
図１０に、制御部１１により実行される画面表示制御処理Ｃを示す。当該処理は、ＣＰＵ１１ａと記憶部１１ｂに格納されているプログラムとの協働によるソフトウェア処理により実現されるものである。
【０１０３】
まず、表示部１３の表示画面上に、複数の機能メニューから設定すべき機能メニューを選択するための第一の画面が表示される（ステップＳ４１）。
【０１０４】
次いで、タッチパネル１４又はマウス１５のいずれかの入力手段により、メニュー選択が行われた場合には（ステップＳ４２；ＹＥＳ）、選択された機能メニューの設定画面である第二の画面が表示される（ステップＳ４３）。
【０１０５】
次いで、第二の画面において、タッチパネル１４又はマウス１５のいずれかの入力手段により、項目選択が行われた場合には（ステップＳ４４；ＹＥＳ）、選択が行われた入力手段がタッチパネル１４であるか、マウス１５であるかが判断される（ステップＳ４５）。
【０１０６】
第二の画面における項目選択時の入力手段がタッチパネル１４である場合には（ステップＳ４５；タッチパネル）、第二の画面の表示が維持された状態で、画面上の選択された項目の表示状態が変化する（ステップＳ４６）。
【０１０７】
第二の画面において、いずれか１つの項目が選択された状態でＯＫボタンが選択された場合には（ステップＳ４７；ＹＥＳ）、その項目が確定し（ステップＳ４８）、表示部１３に第一の画面が表示され（ステップＳ４９）、本処理は終了する。
【０１０８】
第二の画面において、キャンセルボタンが選択された場合には（ステップＳ４７；ＮＯ，ステップＳ５０；ＹＥＳ）、第二の画面における設定がキャンセルされ、表示部１３に第一の画面が表示され（ステップＳ４９）、本処理は終了する。
【０１０９】
一方、第二の画面における項目選択時の入力手段がマウス１５である場合には（ステップＳ４５；マウス）、項目ボタンの選択操作に連動してその項目が確定し（ステップＳ５１）、表示部１３に第一の画面が表示され（ステップＳ４９）、本処理は終了する。
【０１１０】
以上説明したように、第３の実施の形態の画像形成装置によれば、項目選択時の入力手段の種類に基づいて、第二の画面における項目選択に応じて第二の画面から第一の画面に遷移させるか否かを決定するので、操作性を向上させることができる。また、項目選択時の入力手段の種類に基づいて、第二の画面における項目選択に応じてその項目を確定させるか否かを決定するので、操作性を向上させることができる。入力手段がマウス１５である場合には、項目選択と同時に項目選択を確定してよいため、項目選択を確定するための操作を行う場合と比較して操作工程を少なくすることができる。
【０１１１】
なお、上記各実施の形態における記述内容は、本発明に係る画像形成装置の好適な一例であり、これに限定されるものではない。画像形成装置を構成する各部の細部構成及び細部動作に関しても、本発明の趣旨を逸脱することのない範囲で適宜変更可能である。
【０１１２】
例えば、上記各実施の形態では、第二の画面において項目選択が行われた後に第一の画面に遷移する構成としたが、第二の画面において項目選択が行われた後に第一の画面以外の画面に遷移する構成としてもよい。
【図面の簡単な説明】
【０１１３】
【図１】第１の実施の形態における画像形成装置１の機能的構成を示すブロック図である。
【図２】画面表示制御処理Ａを示すフローチャートである。
【図３】出力設定画面２１の表示例である。
【図４】ステープル機能の設定画面２２の表示例である。
【図５】ステープル機能の設定画面２２において「１カ所左上」ボタン３２が選択された場合の表示例である。
【図６】ステープル機能の設定画面２３の表示例である。
【図７】第２の実施の形態における画面表示制御処理Ｂを示すフローチャートである。
【図８】出力設定画面２４及びステープル機能の設定画面２５の表示例である。
【図９】出力設定画面２４及びステープル機能の設定画面２５の表示例である。
【図１０】第３の実施の形態における画面表示制御処理Ｃを示すフローチャートである。
【符号の説明】
【０１１４】
１  画像形成装置
１１  制御部
１１ａ  ＣＰＵ
１１ｂ  記憶部
１１ｃ  ＲＡＭ
１２  操作部
１３  表示部
１４  タッチパネル
１５  マウス
１６  画像入力部
１７  画像処理部
１８  画像形成部
１９  通信制御部
２０  後処理装置
２１  出力設定画面
２２  ステープル機能の設定画面
２３  ステープル機能の設定画面
２４  出力設定画面
２５  ステープル機能の設定画面
【図１】
2007011459.tif 000003
【図２】
2007011459.tif 000004
【図３】
2007011459.tif 000005
【図４】
2007011459.tif 000006
【図５】
2007011459.tif 000007
【図６】
2007011459.tif 000008
【図７】
2007011459.tif 000009
【図８】
2007011459.tif 000010
【図９】
2007011459.tif 000011
【図１０】
2007011459.tif 000012